(57)【要約】【課題】  光ファイバリングの一部に印加された物理的外力とその位置を同定し、且つ振動した分割区間を確実に判別する。【解決手段】  光ファイバ侵入監視装置１は、波長が異なる２つの光源と、この２つの光源に対応して光ファイバの干渉光を検出する２種類の受光部とを備えた光ファイバ振動センサ検出装置４３と、この光ファイバ振動センサ検出装置４３の各光源と各受光部に接続される第１分岐結合器４５と、この第１分岐結合器４５に一端側を接続した光ファイバリング干渉型の振動センサを構成する振動センサ用光ケーブル６３と、この振動センサ用光ケーブル６３の他端側に接続した第２分岐結合器４７と、からなる。振動センサ用光ケーブル６３の途中に区間分割ユニット６７を設け、この区間分割ユニット６７が光ケーブル用クロージャ７３と区間分割光ケーブル７５とからなる。【選択図】  図１
2007232459.tif 000002
【特許請求の範囲】
【請求項１】
光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置であって、
前記振動センサ用光ケーブルの途中に区間分割ユニットを設け、この区間分割ユニットが、光ケーブル用クロージャとこの光ケーブル用クロージャ内の振動センサ用光ケーブルの途中で接続した区間分割光ケーブルとから構成されることを特徴とする光ファイバ侵入監視装置。
【請求項２】
波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置であって、
前記振動センサ用光ケーブルの途中に区間分割ユニットを設け、この区間分割ユニットが、光ケーブル用クロージャとこの光ケーブル用クロージャ内の振動センサ用光ケーブルの途中で接続した区間分割光ケーブルとから構成されることを特徴とする光ファイバ侵入監視装置。
【請求項３】
前記区間分割光ケーブルに振動吸収材を設けてなることを特徴とする請求項１または２記載の光ファイバ侵入監視装置。
【請求項４】
前記振動吸収材が防震ゴムであることを特徴とする請求項３記載の光ファイバ侵入監視装置。
【請求項５】
前記振動吸収材がヤーンであることを特徴とする請求項３記載の光ファイバ侵入監視装置。
【請求項６】
前記振動吸収材が発泡樹脂であることを特徴とする請求項３記載の光ファイバ侵入監視装置。
【発明の詳細な説明】
【技術分野】
【０００１】
この発明は、光ファイバ侵入監視装置に関し、特に光ファイバリングの一部に物理的外力が印加された場合にその外力の検出と外力が印加された位置を同定する光ファイバリング干渉型の振動センサを構成する振動センサ用光ケーブルと、この振動センサ用光ケーブルの途中に設けた区間分割ユニットと、から構成される光ファイバ侵入監視装置に関する。
【背景技術】
【０００２】
近年、侵入者からの防犯、道路や鉄道での落石検出手段として可能な光ファイバとレーザ光を応用した干渉型センサが提案されている。たとえば振動等の物理的外力（力学的刺激）により光ファイバケーブルの一部が応力を受けたために、伝搬する光の光路長が変化して位相等の物理的性質が変化することを利用した外力刺激の検出装置が知られている。
【０００３】
図１０を参照するに、例えば、非特許文献１に示されているように、光ファイバリング干渉型の振動センサ１０１が知られている。この光ファイバリング干渉型の振動センサ１０１の利点としては、次のことからがあげられる。（１）光ファイバに伝わった振動・衝撃をリアルタイムに観測できる。（２）センサ部は一般の光ファイバケーブルを使用でき、特殊なセンサ部を必要としない。（３）光源や受光回路以外は、すべて受動光学素子で構成されるため、センサ区間近傍で電源や避雷・防爆の対策が不要である。このとき、上記の光ファイバリング干渉型の振動センサ１０１により、振動が加わっている位置を知る必要がある。
【０００４】
そこで、従来の光ファイバリング干渉型の振動センサ１０１は、図１０に示されているように、第１干渉型振動センサ１０３と第２干渉型振動センサ１０５とを用いて、各第１，第２干渉型振動センサ１０３，１０５に入力された互いに異なる波長の光が振動によって生じた各干渉光強度を検出して比較することで振動位置、振動レベル等の振動特性を同定するものである。
【０００５】
すなわち、第１干渉型振動センサ１０３は、１．３μｍの波長帯の光を発生する第１光源１０７に接続される第１ポート１０９と、フォトダイオード（ＰＤ）からなる第１受光部１１１に接続される第２ポート１１３との少なくとも２つのポート（図１０では３つのポート）から、少なくとも２つの第３、第４ポート１１５，１１７に分岐する第１分岐光カプラ１１９と、この第１分岐光カプラ１１９に光学的に接続する第１光ファイバリング１２１と、から構成されている。なお、前記第１光ファイバリング１２１の一端が前記第３ポート１１５に接続されていると共にその他端が前記第４ポート１１７に接続されている。
【０００６】
また、第２干渉型振動センサ１０５は、前記第１光源１０７と異なる１．５５μｍの波長帯の光を発生する第２光源１２３に接続される第５ポート１２５と、フォトダイオード（ＰＤ）からなる第２受光部１２７に接続される第６ポート１２９との少なくとも２つのポート（図４では３つのポート）から、少なくとも２つの第７，第８ポート１３１，１３３に分岐する第２分岐光カプラ１３５と、この第２分岐光カプラ１３５に光学的に接続する第２光ファイバリング１３７と、から構成されている。なお、前記第２光ファイバリング１３７の一端が前記第７ポート１３１に接続されていると共にその他端が前記第８ポート１３３に接続されている。
【０００７】
さらに、前記第１，第２干渉型振動センサ１０３，１０５は、前記第１光ファイバリング１２１の全長の中点Ｘ１と前記第２光ファイバリング１３７の全長の中点Ｘ２が互いに反対側に位置すべく前記第１，第２光ファイバリング１２１，１３７を対称的に配置し、且つ前記第１，第２光ファイバリング１２１，１３７の前記各中点Ｘ１，Ｘ２を除く部分の光ファイバを４つのＷＤＭカプラの第３分岐光カプラ１３９により分岐して１．３μｍ帯と１．５５μｍ帯の両波長帯にて共有する２本の光ファイバリング部１４１に構成されている。
【０００８】
したがって、前記第１干渉型振動センサ１０３では、前記第１光源１０７から入力された１．３μｍの波長帯の伝搬光が第１分岐光カプラ１１９の第１ポート１０９から第３、第４ポート１１５，１１７に分岐されて時計回り（Clock Wise：ＣＷ）光と反時計回り（Counter Clock Wise：ＣＣＷ）光に分岐され、図１０の実線で示されているようにそれぞれ第１光ファイバリング１２１を一周する。各ＣＷ光とＣＣＷ光が再び第１分岐光カプラ１１９で合波され、第１受光部１１１ではその干渉光が検出される。
【０００９】
このとき、第１光ファイバリング１２１内、すなわち光ファイバリング部１４１に振動・衝撃が加えられると、光ファイバに屈折率変化が生じる。このとき、第１受光部１１１ではこの現象が振動によって位相変調されたＣＷ光とＣＣＷ光の干渉光の強度変化として検出される。
【００１０】
一方、前記第２干渉型振動センサ１０５では、上述した第１干渉型振動センサ１０３とほぼ同様であり、前記第２光源１２３から入力された１．５５μｍの波長帯の伝搬光が第２分岐光カプラ１３５によりＣＷ光とＣＣＷ光に分岐されて図１０の点線で示されているようにそれぞれ第２光ファイバリング１３７を一周する。各ＣＷ光とＣＣＷ光が再び第２分岐光カプラ１３５で合波され、第２受光部１２７でその干渉光が検出される。第２光ファイバリング１３７内、すなわち光ファイバリング部１４１に加えられた振動によって位相変調されたＣＷ光とＣＣＷ光の干渉光の強度変化が検出される。
【００１１】
さらに、上記の第１，第２干渉型振動センサ１０３，１０５の干渉光の強度変化を比較することで加振点の振動位置、振動レベル等の振動特性が同定される。
【００１２】
上記の光ファイバリング干渉型の振動センサ１０１は、光ファイバリング部１４１を収容した振動センサ用光ケーブル１４３で構成され、この振動センサ用光ケーブル１４３の長さＬを長くして、例えば監視区間に張り巡らした図示しないフェンスなどの監視用構造部材に前記振動センサ用光ケーブル１４３の適宜箇所を固定具などで固定し、数ｋｍ〜数十ｋｍの全長に亘って延長させて布設されることにより、光ファイバ侵入監視装置が構成されている。侵入者が前記フェンスから侵入するときに生じる加振点の振動位置や振動レベルを検出することができる。
【非特許文献１】フジクラ技報第１０３号（２００２年１０月）
【発明の開示】
【発明が解決しようとする課題】
【００１３】
ところで、従来の光ファイバリング干渉型の振動センサ１０１においては、前述した監視区間を幾つもの分割区間に分割すると共に、上記の監視区間の全長を監視するために複数台のテレビカメラが設置されている。なお、各テレビカメラは複数の分割区間を監視するように構成されており、複数の分割区間のうちの一つの分割区間で、侵入者が前記フェンスから侵入したことを光ファイバリング干渉型の振動センサ１０１で検出したとき、振動を検出した分割区間の範囲を撮像すべく動作して監視するように構成されている。
【００１４】
ところが、振動センサ用光ケーブル１４３の加振点の位置を検出する位置検出精度は、数％程度の誤差があるので、この誤動作が生じると、実際に生じた加振点の分割区間を判別できないために、誤って他の分割区間にテレビカメラを向けてしまうという問題点があった。
【００１５】
この発明は上述の課題を解決するためになされたものである。
【課題を解決するための手段】
【００１６】
上記発明が解決しようとする課題を達成するために、この発明の光ファイバ侵入監視装置は、光源と、光ファイバの干渉光を検出する受光部とを備えた光ファイバ振動センサ検出装置と、この光ファイバ振動センサ検出装置の前記光源と受光部に接続される第１分岐結合器と、この第１分岐結合器に一端側を接続した光ファイバリング干渉型の振動センサを構成する振動センサ用光ケーブルと、から構成される光ファイバ侵入監視装置であって、
前記振動センサ用光ケーブルの途中に区間分割ユニットを設け、この区間分割ユニットが、光ケーブル用クロージャとこの光ケーブル用クロージャ内の振動センサ用光ケーブルの途中で接続した区間分割光ケーブルとから構成されることを特徴とするものである。
【００１７】
この発明の光ファイバ侵入監視装置は、波長が異なる２つの光源と、この２つの光源に対応した干渉光を検出する２種類の受光部とを備えた光ファイバ振動センサ検出装置と、この光ファイバ振動センサ検出装置の前記各光源と各受光部に接続される第１分岐結合器と、この第１分岐結合器に一端側を接続した光ファイバリング干渉型の振動センサを構成する振動センサ用光ケーブルと、この振動センサ用光ケーブルの他端側に接続した第２分岐結合器と、から構成される光ファイバ侵入監視装置であって、
前記振動センサ用光ケーブルの途中に区間分割ユニットを設け、この区間分割ユニットが、光ケーブル用クロージャとこの光ケーブル用クロージャ内の振動センサ用光ケーブルの途中で接続した区間分割光ケーブルとから構成されることを特徴とするものである。
【００１８】
また、この発明の光ファイバ侵入監視装置は、前記光ファイバ侵入監視装置において、前記区間分割光ケーブルに振動吸収材を設けてなることが望ましい。
【００１９】
また、この発明の光ファイバ侵入監視装置は、前記光ファイバ侵入監視装置において、前記振動吸収材が防震ゴムであるであることが好ましい。
【００２０】
また、この発明の光ファイバ侵入監視装置は、前記光ファイバ侵入監視装置において、前記振動吸収材がヤーンであるであることが好ましい。
【００２１】
また、この発明の光ファイバ侵入監視装置は、前記光ファイバ侵入監視装置において、前記振動吸収材が発泡樹脂であるであることが好ましい。
【発明の効果】
【００２２】
以上のごとき課題を解決するための手段から理解されるように、この発明の光ファイバ侵入監視装置によれば、振動センサ用光ケーブルの途中に区間分割光ケーブルで接続した区間分割ユニットで複数の分割区間に分割したので、振動センサ用光ケーブルの加振点の位置検出精度の誤差は前記区間分割光ケーブルで吸収されることになる。しかも、区間分割光ケーブルが振動吸収材により振動に対して確実に不感地帯となるので、振動センサ用光ケーブルの加振点の位置検出では、実際に振動が生じた分割区間を確実に判別することができる。
【００２３】
また、この発明の光ファイバ侵入監視装置によれば、互いに波長の異なる光が加振点の振動によって位相変調された２つの干渉光の強度変化を検出して比較することで前記加振点の振動位置や振動レベル等の振動特性を同定できる振動センサ用光ケーブルにも適用でき、上述した光ファイバ侵入監視装置と同様の効果が得られる。
【発明を実施するための最良の形態】
【００２４】
以下、この発明の実施の形態について図面を参照して説明する。
【００２５】
図１（Ａ）〜（Ｄ）及び図２を参照するに、この実施の形態に係る光ファイバ侵入監視装置１としては、基本的には、図２に示されているように、第１干渉型振動センサ３と第２干渉型振動センサ５とを用いて、各第１，第２干渉型振動センサ３，５に入力された互いに異なる波長の光が振動によって生じた各干渉光強度を検出して比較することで加振点の振動位置、振動レベル等の振動特性を同定するものである。
【００２６】
上記の第１干渉型振動センサ３は、１．３μｍの波長帯の光を発生する第１光源７に接続される第１ポート９と、フォトダイオード（ＰＤ）からなる第１受光部１１に接続される第２ポート１３との少なくとも２つのポート（図２では３つのポート）から、少なくとも２つの第３，第４ポート１５，１７に分岐する第１分岐光カプラ１９と、この第１分岐光カプラ１９に光学的に接続する第１光ファイバリング２１と、から構成されている。なお、前記第１光ファイバリング２１の一端が前記第３ポート１５に接続されていると共にその他端が前記第４ポート１７に接続されている。
【００２７】
また、第２干渉型振動センサ５は、前記第１光源７と異なる１．５５μｍの波長帯の光を発生する第２光源２３に接続される第５ポート２５と、フォトダイオード（ＰＤ）からなる第２受光部２７に接続される第６ポート２９との少なくとも２つのポート（図２では３つのポート）から、少なくとも２つの第７，第８ポート３１，３３に分岐する第２分岐光カプラ３５と、この第２分岐光カプラ３５に光学的に接続する第２光ファイバリング３７と、から構成されている。なお、前記第２光ファイバリング３７の一端が前記第７ポート３１に接続されていると共にその他端が前記第８ポート３３に接続されている。
【００２８】
なお、この実施の形態では、上記の第１，第２分岐光カプラ１９，３５にはそれぞれ３×３カプラが用いられている。
【００２９】
さらに、前記第１，第２干渉型振動センサ３，５は、前記第１光ファイバリング２１の全長の中点Ｘ１と前記第２光ファイバリング３７の全長の中点Ｘ２が互いに反対側に位置すべく前記第１，第２光ファイバリング２１，３７を対称的に配置し、且つ前記第１，第２光ファイバリング２１，３７の前記各中点Ｘ１，Ｘ２を除く部分の光ファイバを４つのＷＤＭカプラの第３分岐光カプラ３９により分岐して１．３μｍ帯と１．５５μｍ帯の両波長帯にて共有する２本の光ファイバリング部４１に構成されている。
【００３０】
したがって、前記第１干渉型振動センサ３では、前記第１光源７から入力された１．３μｍの波長帯の伝搬光が第１分岐光カプラ１９の第１ポート９から第３，第４ポート１５，１７に分岐されて時計回り（Clock Wise：ＣＷ）光と反時計回り（Counter Clock Wise：ＣＣＷ）光に分岐され、図２の実線で示されているようにそれぞれ第１光ファイバリング２１を一周する。各ＣＷ光とＣＣＷ光が再び第１分岐光カプラ１９で合波され、第１受光部１１ではその干渉光が検出される。このとき、振動・衝撃が加えられていない静的な状態であれば、ＣＷ光とＣＣＷ光の第１光ファイバリング２１内の光路長は同じであるから、両者の位相差は一定となり、前記第１受光部１１によって検出される信号は一定となる。
【００３１】
ところが、第１光ファイバリング２１内、すなわち光ファイバリング部４１に振動等の物理的外力（力学的刺激）が加えられると、光ファイバに屈折率変化が生じる。このとき、第１受光部１１ではこの現象が振動によって位相変調されたＣＷ光とＣＣＷ光の干渉光の強度変化として検出される。
【００３２】
例えば、時間ｔにおいて加振点にて位相変調が生じた場合、ＣＷ光が加振点から第１受光部１１に到達するまでの時間ＴＣＷと、ＣＣＷ光が加振点から第１受光部１１に到達するまでの時間ＴＣＣＷとすると、第１受光部１１で検出される干渉光の強度は、加わった位相変調と、前記時間ＴＣＷと時間ＴＣＣＷとの間の２つの変数の関数で与えられることになる。なお、この詳細は非特許文献１で示されているので、その説明は省略する。
【００３３】
一方、前記第２干渉型振動センサ５では、上述した第１干渉型振動センサ３とほぼ同様であり、前記第２光源２３から入力された１．５５μｍの波長帯の伝搬光が第２分岐光カプラ３５によりＣＷ光とＣＣＷ光に分岐されて図２の点線で示されているようにそれぞれ第２光ファイバリング３７を一周する。各ＣＷ光とＣＣＷ光が再び第２分岐光カプラ３５で合波され、第２受光部２７でその干渉光が検出される。第２光ファイバリング３７内、すなわち光ファイバリング部４１に加えられた振動によって位相変調されたＣＷ光とＣＣＷ光の干渉光の強度変化が検出される。
【００３４】
このとき、加振点から第１，第２受光部１１，２７に到達するまでの光の時間に対して振動による位相変化が十分遅く変化する場合、１．３μｍ帯、１．５５μｍ帯でそれぞれ生じる位相差Δφ１．３及びΔφ１．５５を算出することができ、加振点までの距離は、１．３μｍ帯、１．５５μｍ帯でそれぞれ生じる位相差Δφ１．３とΔφ１．５５の比により算出することができる。
【００３５】
以上のように、第１干渉型振動センサ３によって前記第１光源７から入力された１．３μｍ帯の光が振動によって位相変調された干渉光の強度変化と、第２干渉型振動センサ５によって前記第２光源２３から入力された１．５５μｍ帯の光が振動によって位相変調された干渉光の強度変化とを検出して比較することで、光ファイバリング部４１の一部に振動などの物理的外力が印加された加振点の振動位置や振動レベル等の振動特性を同定することができる。
【００３６】
図１（Ａ）〜（Ｄ）及び図２を併せて参照するに、第１光源７、第１受光部１１、第２光源２３、第２受光部２７は光ファイバ振動センサ検出装置としての例えば振動検出器本体４３内に収容されている。第１分岐光カプラ１９は第１分岐結合器４５内に収容されている。第２分岐光カプラ３５は第２分岐結合器４７内に収容されている。
【００３７】
また、第１光源７及び第１受光部１１から第１分岐光カプラ１９までの間はそれぞれ第１光ファイバ４９（図２では３心）で接続されており、第２光源２３及び第２受光部２７から第２分岐光カプラ３５までの間はそれぞれ第２光ファイバ５１（図２では３心）で接続されている。
【００３８】
したがって、振動検出器本体４３と第１分岐結合器４５との間は、第１，第２光ファイバ４９，５１で合計６心が、図１（Ｂ）に示されているように、例えば１本のテンションメンバ５３に縦添えされると共にその全外周を外被５５でシースして構成されたアプローチ用光ケーブル５７で接続されている。
【００３９】
また、第１分岐結合器４５と第２分岐結合器４７との間は、第２光ファイバ５１（３心）と第１，第２光ファイバリング２１，３７の共有部分の光ファイバリング部４１（２心）で合計５心が、図１（Ｃ）に示されているように、例えば１本のテンションメンバ５９に縦添えされると共にその全外周を外被６１でシースして構成された振動センサ用光ケーブル６３で接続されている。
【００４０】
また、この実施の形態に係る光ファイバ侵入監視装置１では、上記の振動センサ用光ケーブル６３はその長さＬを任意に長くして、図１（Ａ）、図３及び図４に示されているように、例えば監視区間に張り巡らしたフェンス６５などの監視用構造部材に前記振動センサ用光ケーブル６３の適宜箇所が固定具などで固定され、数ｋｍ〜数十ｋｍの全長に亘って延長させて布設される。したがって、侵入者が前記フェンス６５から侵入するときに生じる加振点の振動位置や振動レベルを検出することができる。
【００４１】
このとき、上記の監視区間は、図３に示されているように、その適宜間隔毎に振動センサ用光ケーブル６３の途中に設けられた区間分割ユニット６７によって幾つもの分割区間６９に分割されている。さらに、上記の複数の分割区間６９を監視するためのテレビカメラ７１が、上記の監視区間の全長を監視する台数分、例えば前記フェンス６５の上方に位置して設置されている。この実施の形態では、図４に示されているように、１台のテレビカメラ７１が例えば３つの第１〜第３分割区間６９Ａ，６９Ｂ，６９Ｃを監視できるように割り当てられており、前記３つの第１〜第３分割区間６９Ａ，６９Ｂ，６９Ｃのうちの一つの分割区間６９で、侵入者がフェンス６５から侵入したことを光ファイバリング部４１で検出したとき、テレビカメラ７１が動作して該当する分割区間６９の範囲全体を撮像して監視するように構成されている。
【００４２】
図５及び図６を併せて参照するに、上記の各区間分割ユニット６７は、光ケーブル用クロージャ７３と、この光ケーブル用クロージャ７３内の振動センサ用光ケーブル６３の途中で接続した区間分割光ケーブル７５を収納する区間分割ケーブル収納箱７７と、から構成されている。図５では区間分割ケーブル収納箱７７の上に光ケーブル用クロージャ７３が取り付けられている。この実施の形態では、１００ｍ位の長さの区間分割光ケーブル７５が例えば図６に示されているようにロール状に卷回されて区間分割ケーブル収納箱７７の中に収納されている。
【００４３】
より詳しく説明すると、区間分割光ケーブル７５は、図１（Ｄ）に示されているように、振動センサ用光ケーブル６３の第２光ファイバ５１（３心）と光ファイバリング部４１（２心）の合計５心に対応する第２光ファイバ５１（３心）と光ファイバリング部４１（２心）が、例えば１本のテンションメンバ７９に縦添えされると共にその全外周を外被８１でシースして構成されている。区間分割光ケーブル７５は、振動センサ用光ケーブル６３の途中でそれぞれ対応する各心線同士が融着接続されている。
【００４４】
また、区間分割光ケーブル７５は、内部の光ファイバリング部４１（２心）が振動を拾わないようにするために、区間分割光ケーブル７５には振動吸収材を設けてなることが好適である。一つの例としては外被８１自体が振動吸収材としての例えば防震ゴム材で構成されている。この防震ゴム材としては、例えば、ニトリルゴム系、天然ゴム系、シリコーンゴム系、ウレタンゴム系及びこれらを発泡させたものが好適に使用される。
【００４５】
また、前記光ケーブル用クロージャ７３の内部には複数の心線用トレー８３が収納されており、この実施の形態では、第１、第２心線用トレー８３Ａ，８３Ｂが収納されている。各心線用トレー８３Ａ，８３Ｂは図５の２点鎖線で示されているように図示しないヒンジで開閉可能に設けられているので、所望の心線用トレー８３を選んで開放し、各心線を収納したり取り出したりすることができる。また、各心線用トレー８３Ａ，８３Ｂは、振動センサ用光ケーブル６３の各心線の余長部と、この余長部の各心線の先端と前記区間分割光ケーブル７５の各心線の先端とを接続した接続部８５が収納されるものである。すなわち、振動センサ用光ケーブル６３の第２光ファイバ５１（３心）と光ファイバリング部４１（２心）の合計５心が、区間分割光ケーブル７５の対応する第２光ファイバ５１（３心）と光ファイバリング部４１（２心）に融着接続されている。
【００４６】
また、上記の各心線の接続部８５は必然的に裸光ファイバとなるために、この裸光ファイバでは特に振動を拾いやすい状態となるので、これを防止するために、この実施の形態では各第１、第２心線用トレー８３Ａ，８３Ｂが振動吸収材の材質で構成されている。すなわち振動吸収用トレーで構成されている。
【００４７】
上記構成により、侵入者が前記フェンス６５から侵入するときに生じる振動センサ用光ケーブル６３の加振点の振動位置（加振点までの距離）や振動レベルが第１，第２光ファイバリング２１，３７の光ファイバリング部４１で検出できる。しかも、振動センサ用光ケーブル６３の途中に区間分割光ケーブル７５で接続した区間分割ユニット６７で複数の分割区間６９に分割したので、振動センサ用光ケーブル６３の加振点の位置検出精度の誤差は前記区間分割光ケーブル７５で吸収されることになる。
【００４８】
すなわち、振動センサ用光ケーブル６３の加振点の位置を検出する位置検出精度は、数％程度の誤差があるが、区間分割光ケーブル７５が１００ｍ位の長さであるので、例えば上記の位置検出精度の誤差が２０ｍであっても、検出される加振点の位置が区間分割光ケーブル７５の長さの中点の５０ｍの範囲内に収まるので、加振点の該当する分割区間６９を正確に判別することができる。しかも、区間分割光ケーブル７５が振動吸収材である防震ゴム材の外被８１により振動に対して確実に不感地帯となっているので、実際に振動が生じた分割区間６９を確実に判別することができる。ちなみに、もし、区間分割光ケーブル７５が振動を拾ってしまうと、加振点がどちらの分割区間６９であるかを判別できなくなる事態が生じ得る。
【００４９】
以上のことから、確実に、実際に振動が生じた分割区間６９にテレビカメラ７１を向けてその状況を監視することができる。
【００５０】
なお、前述した実施の形態では、区間分割光ケーブル７５の内部の各心線が振動を拾わないようにするための方法としては、区間分割光ケーブル７５の外被８１自体が振動吸収材としての防震ゴム材で構成されているが、図７に示されているように、外被８１が防震ゴム材層８７と、この防震ゴム材層８７の外周に被覆した一般的な樹脂製のシース層８９とで構成されても良い。
【００５１】
あるいは、図８に示されているように、区間分割光ケーブル７５が、テンションメンバ７９と第２光ファイバ５１（３心）と光ファイバリング部４１（２心）の外周にヤーンからなる振動吸収材層９１を設け、この振動吸収材層９１の外周を一般的な樹脂製のシース９３で被覆しても良い。上記のヤーンとしては、例えばＰＰヤーン、コットンヤーン、アラミドヤーン等が用いられる。
【００５２】
あるいは、図９に示されているように、区間分割光ケーブル７５が、テンションメンバ７９と第２光ファイバ５１（３心）と光ファイバリング部４１（２心）の外周に振動吸収材層としての例えば発泡樹脂層９５を設け、この発泡樹脂層９５の外周を一般的な樹脂製のシース９７で被覆しても良い。上記の発泡樹脂としては、例えば発泡ポリエチレン、発泡ポリウレタン等が用いられる。
【００５３】
なお、前述した実施の形態の光ファイバ侵入監視装置１では、第１，第２干渉型振動センサ３，５を備えている場合について説明したが、単に第１干渉型振動センサ３のみを有する場合にも適用可能である。
【００５４】
すなわち、この場合の光ファイバ侵入監視装置では、第１干渉型振動センサ３が第１光源７と第１受光部１１と第１分岐光カプラ１９と第１光ファイバリング２１とから構成され、この第１光ファイバリング２１を収容した振動センサ用光ケーブル６３を構成するものである。
【００５５】
したがって、この場合でも、侵入者が前記フェンス６５から侵入するときに生じる振動等の物理的外力が第１光ファイバリング２１で検出できると共に、上記の振動センサ用光ケーブル６３の途中に区間分割光ケーブル７５で接続した区間分割ユニット６７で複数の分割区間６９に分割したので、前記振動センサ用光ケーブル６３の加振点の位置検出精度の誤差は前記区間分割光ケーブル７５で吸収されることになると共に、区間分割光ケーブル７５が振動吸収材により振動に対して確実に不感地帯となるので、実際に振動が生じた分割区間６９を確実に判別することができる。つまり、第１光ファイバリング２１のみによる場合は、前述した第１，第２干渉型振動センサ３，５による場合に検出される振動特性と異なるが、区間分割ユニット６７に係わる効果は前述した実施の形態の説明と同様である。
【図面の簡単な説明】
【００５６】
【図１】（Ａ）は、この発明の実施の形態の光ファイバ侵入監視装置を概略的に示す斜視図で、（Ｂ）は（Ａ）の矢視ＩＢ−ＩＢ線の断面図で、（Ｃ）は（Ａ）の矢視ＩＣ−ＩＣ線の断面図で、（Ｄ）は（Ａ）の区間分割光ケーブルの断面図である。
【図２】この発明の実施の形態の光ファイバ侵入監視装置を概略的に示す回路図である。
【図３】この発明の実施の形態の光ファイバ侵入監視装置における振動センサ用光ケーブル及び区間分割ユニットの布設状態を概略的に示す平面図である。
【図４】１台のテレビカメラが３つの第１〜第３分割区間を監視するときの動作説明図である。
【図５】区間分割ユニットの概略的な斜視図である。
【図６】区間分割ユニットにおける振動センサ用光ケーブルと区間分割光ケーブルの接続状態を示す概略的な斜視図である。
【図７】他の実施の形態の区間分割光ケーブルの断面図である。
【図８】他の実施の形態の区間分割光ケーブルの断面図である。
【図９】他の実施の形態の区間分割光ケーブルの断面図である。
【図１０】従来の光ファイバリング干渉型の振動センサを概略的に示す回路図である。
【符号の説明】
【００５７】
１  光ファイバ侵入監視装置
３  第１干渉型振動センサ
５  第２干渉型振動センサ
７  第１光源
１１  第１受光部
１９  第１分岐光カプラ
２１  第１光ファイバリング
２３  第２光源
２７  第２受光部
３５  第２分岐光カプラ
３７  第２光ファイバリング
３９  第３分岐光カプラ
４１  光ファイバリング部
４３  振動検出器本体（光ファイバ振動センサ検出装置）
４５  第１分岐結合器
４７  第２分岐結合器
５７  アプローチ用光ケーブル
６３  振動センサ用光ケーブル
６３  振動センサ用光ケーブル
６５  フェンス（監視用構造部材）
６７  区間分割ユニット
６９  分割区間
７１  テレビカメラ
７３  光ケーブル用クロージャ
７５  区間分割光ケーブル
７７  区間分割ケーブル収納箱
７９  テンションメンバ
８１  外被
８３  心線用トレー
８７  防震ゴム材層
８９  シース層
９１  振動吸収材層
９３  シース
９５  発泡樹脂層
９７  シース
Ｘ１  第１光ファイバリングの中点
Ｘ２  第２光ファイバリングの中点
【図１】
2007232459.tif 000003
【図２】
2007232459.tif 000004
【図３】
2007232459.tif 000005
【図４】
2007232459.tif 000006
【図５】
2007232459.tif 000007
【図６】
2007232459.tif 000008
【図７】
2007232459.tif 000009
【図８】
2007232459.tif 000010
【図９】
2007232459.tif 000011
【図１０】
2007232459.tif 000012